(57)【要約】【課題】空気が通り抜ける通路を照明装置内に確保しつつ、照明装置の高さを低く抑える。【解決手段】照明装置１０において、ケース２０の開口面部５３には、光源ユニット１４が取り付けられる。第一反射板２１は、ケース２０の側面部５１および光源ユニット１４の側面部４１から離れた位置に設けられている。第一反射板２１の第一反射板２１は、光源ユニット１４の側面部４１に対して傾斜しており、光源ユニット１４の側面部４１から第一反射板２１までの距離が下に向かうほど大きくなっている。第二反射板２２は、ケース２０の側面部５１から突き出し、第一反射板２１から通路１１となる隙間を空けて設けられている。第二反射板２２の第二反射面部６４は、ケース２０の側面部５１に対して傾斜しており、ケース２０の側面部５１から第二反射面部６４までの距離が上に向かうほど大きくなっている。【選択図】図５
2018098106.tif 000002
【特許請求の範囲】
【請求項１】
空気が通り抜ける通路を有する照明装置において、
１対の側面部と、当該側面部同士をつなぐ底面部と、当該底面部に対向し、開口された開口面部とを有するケースと、
１対の側面部を有し、前記ケースの開口面部に取り付けられた光源ユニットと、
前記ケースの側面部および前記光源ユニットの側面部から離れた位置に設けられ、少なくとも一部が前記光源ユニットの側面部に対して傾斜し、前記光源ユニットの側面部から当該少なくとも一部までの距離が前記ケースの底面部から開口面部に向かう方向に沿って徐々に大きくなっている第一反射板と、
前記ケースの側面部から突き出し、前記第一反射板から前記通路となる隙間を空けて設けられ、少なくとも一部が前記ケースの側面部に対して傾斜し、前記ケースの側面部から当該少なくとも一部までの距離が前記ケースの開口面部から底面部に向かう方向に沿って徐々に大きくなっている第二反射板と
を備える照明装置。
【請求項２】
前記第一反射板は、前記隙間の前記光源ユニットから遠い方の端にあり、前記通路の出口となる開口を遮蔽している請求項１に記載の照明装置。
【請求項３】
前記ケースおよび前記第二反射板は、一体に形成されている請求項１または２に記載の照明装置。
【請求項４】
前記第二反射板は、一部分が前記ケースの側面部に対して傾斜し、前記ケースの側面部から当該一部分までの距離が前記ケースの開口面部から底面部に向かう方向に沿って徐々に大きくなっているとともに、別の部分が当該一部分の、前記ケースの側面部から遠い側の端につながり、前記ケースの側面部に対して当該一部分とは別の角度で傾斜し、前記ケースの側面部から当該別の部分までの距離が前記ケースの底面部から開口面部に向かう方向に沿って徐々に大きくなっている請求項１から３のいずれか１項に記載の照明装置。
【請求項５】
前記第一反射板を前記光源ユニットの両側に備え、
前記第二反射板を前記ケースの両側に備える請求項１から４のいずれか１項に記載の照明装置。
【請求項６】
天井に取り付けて使用される請求項１から５のいずれか１項に記載の照明装置。
【発明の詳細な説明】
【技術分野】
【０００１】
本発明は、照明装置に関するものである。
【背景技術】
【０００２】
特許文献１に記載の照明器具は、器具本体と、器具本体に取り付けられた主反射板と、器具本体に設けられたランプソケットと、主反射板の下方側に配置された補助反射板とを備える。主反射板は、平板状に形成された主反射面部と、主反射面部の側縁に下方に向かって拡開状に形成された側面反射面部とを有する。ランプソケットには、主反射板に対向する蛍光ランプが装着される。補助反射板は、主反射板の側面反射面部の下縁に通気間隙を介して配置される。補助反射板は、下側に向かって拡開状に形成された補助反射面部と、補助反射面部の上下両縁が外側に向かって折り返された折り返し辺部を有する。
【先行技術文献】
【特許文献】
【０００３】
【特許文献１】特開平６−３３３４０６号公報
【発明の概要】
【発明が解決しようとする課題】
【０００４】
特許文献１に記載の照明器具では、主反射板の主反射面部が平板状に形成され、その主反射面部の側縁に主反射板の側面反射面部が下方に向かって形成される。よって、側面反射面部の下縁は、主反射面部よりも低い位置にある。補助反射板は、その側面反射面部の下縁に通気間隙を介して配置されるため、さらに低い位置にある。このため、通気間隙を十分に確保するには、主反射板の位置を高くしたり、補助反射板の位置を低くしたりしなければならない。しかし、それでは、器具高さが高くなってしまい、天井裏のスペースが狭い場合には器具を設置できないおそれがある。
【０００５】
本発明は、空気が通り抜ける通路を照明装置内に確保しつつ、照明装置の高さを低く抑えることを目的とする。
【課題を解決するための手段】
【０００６】
本発明の一態様に係る照明装置は、
空気が通り抜ける通路を有する照明装置であり、
１対の側面部と、当該側面部同士をつなぐ底面部と、当該底面部に対向し、開口された開口面部とを有するケースと、
１対の側面部を有し、前記ケースの開口面部に取り付けられた光源ユニットと、
前記ケースの側面部および前記光源ユニットの側面部から離れた位置に設けられ、少なくとも一部が前記光源ユニットの側面部に対して傾斜し、前記光源ユニットの側面部から当該少なくとも一部までの距離が前記ケースの底面部から開口面部に向かう方向に沿って徐々に大きくなっている第一反射板と、
前記ケースの側面部から突き出し、前記第一反射板から前記通路となる隙間を空けて設けられ、少なくとも一部が前記ケースの側面部に対して傾斜し、前記ケースの側面部から当該少なくとも一部までの距離が前記ケースの開口面部から底面部に向かう方向に沿って徐々に大きくなっている第二反射板とを備える。
【発明の効果】
【０００７】
本発明では、第二反射板が第一反射板とは逆向きに傾斜している。このため、第二反射板の位置を高くしたり、第一反射板の位置を低くしたりしなくても、第一反射板と第二反射板との間の隙間を確保しやすい。よって、空気が通り抜ける通路を照明装置内に確保しつつ、照明装置の高さを低く抑えることができる。
【図面の簡単な説明】
【０００８】
【図１】実施の形態１に係る照明装置の斜視図。
【図２】実施の形態１に係る照明装置の正面図、平面図、側面図、底面図および背面図。
【図３】実施の形態１に係る照明装置の分解斜視図。
【図４】実施の形態１に係る照明器具の分解斜視図。
【図５】実施の形態１に係る照明装置の断面図。
【図６】実施の形態１に係る光源ユニットの斜視図。
【図７】実施の形態２に係る照明装置の斜視図。
【図８】実施の形態２に係る照明装置の分解斜視図。
【図９】実施の形態２に係る照明装置の断面図。
【発明を実施するための形態】
【０００９】
以下、本発明の実施の形態について、図を用いて説明する。各図中、同一または相当する部分には、同一符号を付している。実施の形態の説明において、同一または相当する部分については、説明を適宜省略または簡略化する。なお、本発明は、以下に説明する実施の形態に限定されるものではなく、必要に応じて種々の変更が可能である。例えば、以下に説明する実施の形態のうち、２つ以上の実施の形態が組み合わせられて実施されても構わない。あるいは、以下に説明する実施の形態のうち、１つの実施の形態または２つ以上の実施の形態の組み合わせが部分的に実施されても構わない。
【００１０】
実施の形態１．
本実施の形態について、図１から図６を用いて説明する。
【００１１】
＊＊＊構成の説明＊＊＊
図１から図５を参照して、本実施の形態に係る照明装置１０の構成を説明する。
【００１２】
図１は、照明装置１０を斜め下方から見た図である。図２の左側にある図は、照明装置１０の正面図である。図２の中央にある図は、上から順に、照明装置１０の平面図、側面図および底面図である。図２の右側にある図は、照明装置１０の背面図である。図３は、図１に対応する照明装置１０の分解図である。図４は、照明装置１０の一部である照明器具１２の分解図である。図５は、照明装置１０の縦断面を示した図である。なお、本実施の形態の説明において、「上方」、「下方」、「側方」、「前方」、「後方」、「斜め上方」および「斜め下方」といった方向は、照明装置１０が天井に取り付けられているときの方向を示している。照明装置１０は、本実施の形態では、システム天井に取り付けて使用されるが、システム天井以外の天井に取り付けて使用されてもよいし、壁等、天井以外の被取付部に取り付けて使用されてもよい。
【００１３】
照明装置１０は、空気が通り抜ける通路１１を有する。この通路１１を介して、室内と空気調和機が設置される天井裏との間で空気を流通させることができる。
【００１４】
照明装置１０は、照明器具１２と、取付具１３と、光源ユニット１４と、枠部材８０と、端子台カバー８１とを備える。照明器具１２は、ケース２０と、第一反射板２１と、第二反射板２２と、端板２３とを有する。すなわち、照明装置１０は、ケース２０と、第一反射板２１と、第二反射板２２と、端板２３と、取付具１３と、光源ユニット１４と、枠部材８０と、端子台カバー８１とを備える。
【００１５】
ケース２０は、幅寸法よりも長さ寸法が大きい長尺状である。ケース２０の高さ寸法は、任意の寸法でよいが、本実施の形態では、ケース２０の幅寸法よりも小さい。幅寸法とは、幅方向Ｘの寸法のことである。長さ寸法とは、長さ方向Ｙの寸法のことである。高さ寸法とは、高さ方向Ｚの寸法のことである。なお、ケース２０の長さ寸法は、ケース２０の幅寸法と同じでもよいし、ケース２０の幅寸法よりも小さくてもよい。
【００１６】
第二反射板２２は、ケース２０の両側に１つずつ形成されている。それぞれの第二反射板２２は、ケース２０の形状にあわせて、幅寸法よりも長さ寸法が大きい長尺状になっている。２つの第二反射板２２は、幅方向Ｘにおいて互いに線対称な形状である。なお、第二反射板２２の長さ寸法は、第二反射板２２の幅寸法と同じでもよいし、第二反射板２２の幅寸法よりも小さくてもよいが、ケース２０の長さ寸法と同じであることが望ましい。
【００１７】
第一反射板２１は、光源ユニット１４の両側に１つずつ設けられている。具体的には、第一反射板２１は、一方の第二反射板２２の下方に１つ、他方の第二反射板２２の下方に１つ、それぞれの一部が第二反射板２２と対向するように取り付けられている。それぞれの第一反射板２１は、ケース２０および第二反射板２２の形状にあわせて、幅寸法よりも長さ寸法が大きい長尺状になっている。２つの第一反射板２１は、幅方向Ｘにおいて互いに線対称な形状である。なお、第一反射板２１の長さ寸法は、第一反射板２１の幅寸法と同じでもよいし、第一反射板２１の幅寸法よりも小さくてもよいが、ケース２０および第二反射板２２の長さ寸法と同じであることが望ましい。
【００１８】
端板２３は、ケース２０および第二反射板２２の短手方向に延びるように、ケース２０および第二反射板２２の長手方向の両端に１つずつ取り付けられている。２つの端板２３は、ケース２０および第二反射板２２の長手方向の両端部に形成される開口を塞いでいる。２つの端板２３は、ケース２０および第二反射板２２の長手方向の両端部だけでなく、第一反射板２１の長手方向の両端部とも連結されている。なお、２つの端板２３は、ケース２０および第二反射板２２、または、第一反射板２１に一体形成されていてもよい。
【００１９】
光源ユニット１４は、２つの第一反射板２１の間に位置するようにケース２０に取り付けられている。光源ユニット１４は、着脱できないようにケース２０に固定されていてもよいが、本実施の形態では、ケース２０に着脱自在に取り付けられている。光源ユニット１４は、ケース２０に取付可能な形状であればよいが、本実施の形態では、ケース２０の形状にあわせて、幅寸法よりも長さ寸法が大きい長尺状になっている。なお、光源ユニット１４の長さ寸法は、光源ユニット１４の幅寸法と同じでもよいし、光源ユニット１４の幅寸法よりも小さくてもよいが、ケース２０の長さ寸法と同じであることが望ましい。
【００２０】
取付具１３は、枠部材８０の長辺に相当する部分に取り付けられている。取付具１３の数は、任意の数でよいが、本実施の形態では、４つである。それぞれの取付具１３は、下端がシステム天井のＴバー９０に引っ掛けられるように高さ方向Ｚに延びている。枠部材８０は、本実施の形態では、取付具１３をシステム天井のＴバー９０に引っ掛けることで、システム天井に取り付けられるが、ボルト等の固定具によりシステム天井以外の被取付部に取り付けられてもよい。
【００２１】
枠部材８０は、平面視で長方形状であるが、正方形状でもよい。
【００２２】
端子台カバー８１は、箱状である。端子台カバー８１は、幅方向Ｘに沿って枠部材８０の上を跨ぐように取り付けられている。端子台カバー８１には、端子台２６が収納される。本実施の形態では、端子台２６がネジ等の締結具で端子台カバー８１の内側上面に固定される。
【００２３】
図５および図６を参照して、光源ユニット１４の構成を説明する。
【００２４】
図６は、光源ユニット１４を斜め上方から見た図である。
【００２５】
光源ユニット１４は、光源部３０と、保持部３１と、カバー部３２と、光源蓋部３３と、連結部３４と、点灯装置３５とを有する。
【００２６】
光源部３０は、光を照射する。本実施の形態において、光源部３０は、複数のＬＥＤ１８と、これら複数のＬＥＤ１８が実装された基板１９とからなる。基板１９は、光源ユニット１４がケース２０に装着された状態で長尺方向がケース２０の長尺方向とほぼ一致するように長尺状に形成されている。ＬＥＤ１８は、基板１９の長尺方向に沿って直線状に並ぶように基板１９に配置されている。なお、ＬＥＤ１８に代えて、有機ＥＬ、レーザダイオード等、他の種類の固体発光素子が用いられてもよい。固体発光素子の数は、複数に限らず、１つであってもよい。
【００２７】
保持部３１は、光源部３０を片面である光源設置面１５で保持し、点灯装置３５を別の片面である保持部背面１６で保持している。本実施の形態において、保持部３１は、長手状である。保持部３１は、光源部３０が取り付けられる矩形板状の底壁部３６と、底壁部３６の長手方向の両側辺から垂直に突出した側壁部３７とからなる。すなわち、保持部３１は、片面が光源設置面１５であり、別の片面が保持部背面１６である底壁部３６と、この別の片面の両側から立ち上がる側壁部３７とを有する。底壁部３６の、光源部３０が取り付けられる面である光源設置面１５の反対側の保持部背面１６には、点灯装置３５だけでなく、連結部３４も配置されている。
【００２８】
カバー部３２は、保持部３１の光源設置面１５がある側に取り付けられ、光源部３０を覆っている。カバー部３２は、光源部３０から照射される光を、外側に露出している発光面１７から出射する。本実施の形態において、カバー部３２は、長手状である。カバー部３２は、光源部３０の光軸方向に配置されて光源部３０から遠ざかる方向に張り出す第一湾曲部３８と、第一湾曲部３８の両側に形成されて光源部３０に近づく方向に凹む第二湾曲部３９とを有する。第一湾曲部３８は、断面が円弧状に形成されている。第一湾曲部３８は、光源部３０から照射される光を拡散させることで配光を制御する。第二湾曲部３９は、光源ユニット１４の着脱時に作業者によってつまんで保持される。カバー部３２は、さらに、断面がコ字状であり、第二湾曲部３９の端部に形成され、保持部３１を側壁部３７側より挟み込むように保持部３１に固定される接続部４０を有する。カバー部３２は、押出成形が可能な樹脂材料で形成されている。樹脂材料としては、ポリカーボネート等が使用される。カバー部３２には、光の波長変換の機能が付加されていてもよい。
【００２９】
光源蓋部３３は、保持部３１およびカバー部３２の長手方向の両端部に形成される開口を塞いでいる。
【００３０】
連結部３４は、光源ユニット１４をケース２０に固定するための金具である。連結部３４には、穴が開けられている。連結部３４は、保持部３１の底壁部３６の２箇所にネジで固定されている。
【００３１】
点灯装置３５は、光源部３０に電力を供給する。これにより、点灯装置３５は、光源部３０を点灯させる。具体的には、点灯装置３５は、商用電源からの交流電力を直流電力に変換し、この直流電力を光源部３０に供給することで、光源部３０を点灯させる。図示していないが、点灯装置３５は、交流電力を直流電力に変換する点灯回路部を有する。点灯回路部は、点灯装置３５の箱形状の筐体に収容されている。
【００３２】
光源ユニット１４は、１対の側面部４１を有する。一方の側面部４１は、カバー部３２の一方の第二湾曲部３９に相当する。他方の側面部４１は、カバー部３２の他方の第二湾曲部３９に相当する。
【００３３】
図１から図４を参照して、照明器具１２の構成を説明する。
【００３４】
前述したように、照明器具１２は、ケース２０と、第一反射板２１と、第二反射板２２と、端板２３とを有する。
【００３５】
ケース２０は、１対の側面部５１と、側面部５１同士をつなぐ底面部５２と、底面部５２に対向し、開口された開口面部５３とを有する。
【００３６】
第一反射板２１は、ケース２０の長手方向に延びるように１対設けられている。第二反射板２２も、ケース２０の長手方向に延びるように１対設けられている。端板２３は、ケース２０の短手方向に延びるように１対設けられている。
【００３７】
ケース２０の底面部５２の片面には、バネ部２５が取り付けられている。底面部５２の片面の、短手方向の両端からは、側面部５１が立ち上がっている。１対の側面部５１と底面部５２とに囲まれた空間は、点灯装置３５を収納するための空間になる。すなわち、１対の側面部５１および底面部５２は、光源ユニット１４の、点灯装置３５を含む一部分が挿入される凹部を形成している。底面部５２には、端子台カバー８１に収納されている端子台２６に接続された電線を引き込むための引込孔２７が設けられている。端子台２６は、この電線を介して、商用電源から供給される電力を点灯装置３５に供給する。
【００３８】
バネ部２５は、ケース２０の底面部５２において、ケース２０の長手方向の両端付近に１つずつ配置されている。バネ部２５は、先端部分が折れ曲がっており、中間部分が湾曲している。底面部５２におけるバネ部２５の設置箇所は、光源ユニット１４の保持部３１の底壁部３６における連結部３４の設置箇所と対応している。
【００３９】
ケース２０の開口面部５３には、光源ユニット１４が取り付けられる。光源ユニット１４が開口面部５３に取り付けられた状態において、商用電源からの電力が端子台２６を介して点灯装置３５に供給され、さらに、点灯装置３５から光源ユニット１４に供給されることにより、光源ユニット１４が点灯する。すなわち、光源ユニット１４は、端子台カバー８１に収納されている端子台２６を介して給電されて点灯する。
【００４０】
ここで、光源ユニット１４のケース２０への装着方法を説明する。
【００４１】
まず、ケース２０のバネ部２５の先端部分が、光源ユニット１４の連結部３４の穴に引っ掛けられる。
【００４２】
次に、光源ユニット１４がケース２０側へ押し込まれることで、光源ユニット１４の一部がケース２０の開口面部５３よりも内側に挿入される。このとき、バネ部２５の中間部分が連結部３４の穴の縁部で摺動しながら、連結部３４の先端部分がケース２０の底面部５２に当たるまで、光源ユニット１４が押し込まれる。これにより、光源ユニット１４がケース２０に固定される。
【００４３】
図１から図５を参照して、照明装置１０の構成をさらに説明する。
【００４４】
それぞれの第一反射板２１は、ケース２０の側面部５１および光源ユニット１４の側面部４１から離れた位置に設けられている。それぞれの第一反射板２１の少なくとも一部は、光源ユニット１４の側面部４１に対して傾斜しており、光源ユニット１４の側面部４１から当該少なくとも一部までの距離がケース２０の底面部５２から開口面部５３に向かう方向に沿って徐々に大きくなっている。
【００４５】
本実施の形態では、それぞれの第一反射板２１の一部分である第一反射面部６１が、光源ユニット１４の側面部４１に対して傾斜しており、光源ユニット１４の側面部４１から第一反射面部６１までの距離が下に向かうほど大きくなっている。すなわち、本実施の形態では、１対の第一反射面部６１が、下向きに広がるように傾斜している。
【００４６】
それぞれの第一反射面部６１の下端からは、補強部６２が真上に向かって立ち上がっている。補強部６２により、第一反射板２１の剛性が高められている。
【００４７】
それぞれの第二反射板２２は、ケース２０の側面部５１から突き出し、第一反射板２１から通路１１となる隙間を空けて設けられている。それぞれの第二反射板２２の少なくとも一部は、ケース２０の側面部５１に対して傾斜しており、ケース２０の側面部５１から当該少なくとも一部までの距離がケース２０の開口面部５３から底面部５２に向かう方向に沿って徐々に大きくなっている。
【００４８】
本実施の形態では、それぞれの第二反射板２２の一部分である第二反射面部６４が、ケース２０の側面部５１に対して傾斜しており、ケース２０の側面部５１から第二反射面部６４までの距離が上に向かうほど大きくなっている。すなわち、本実施の形態では、１対の第二反射面部６４が、上向きに広がるように傾斜している。
【００４９】
それぞれの第二反射面部６４の下端からは、平坦部６３が水平に延びており、ケース２０の側面部５１の下端につながっている。平坦部６３があること、すなわち、光源ユニット１４に隣接する箇所が平坦になっていることで、光源ユニット１４の着脱時に光源ユニット１４を掴みやすくなる。なお、平坦部６３は、省略してもよい。すなわち、第二反射面部６４がケース２０の側面部５１に直接つながっていてもよい。
【００５０】
それぞれの第二反射面部６４の上端からは、折り返し部６５が第二反射面部６４とは別の方向に傾斜するように延びている。すなわち、本実施の形態では、それぞれの第二反射板２２の、第二反射面部６４とは別の部分である折り返し部６５が、第二反射面部６４の、ケース２０の側面部５１から遠い側の端につながっている。そして、それぞれの第二反射板２２の折り返し部６５が、ケース２０の側面部５１に対して第二反射面部６４とは別の角度で傾斜しており、ケース２０の側面部５１から折り返し部６５までの距離が下に向かうほど大きくなっている。
【００５１】
前述したように、それぞれの第二反射板２２は、第一反射板２１から通路１１となる隙間を空けて設けられている。すなわち、第一反射板２１と第二反射板２２との間には、通路１１となる隙間が空いている。この隙間の光源ユニット１４に近い方の端には、通路１１の入口となる開口７１があり、光源ユニット１４から遠い方の端には、通路１１の出口となる開口７２がある。入口となる開口７１は、露出しているが、出口となる開口７２は、第一反射板２１によって遮蔽されている。このため、照明装置１０の下からは、入口となる開口７１は見えても、出口となる開口７２は見えない。よって、開口７２の奥にある天井裏の空間を隠すことができる。
【００５２】
第一反射板２１および第二反射板２２の、少なくとも床面側には、光を反射する材質が使用されているか、あるいは、光を反射するための加工または塗装が施されている。
【００５３】
本実施の形態では、第一反射面部６１が、光源ユニット１４からの主な光を床面側に反射する。開口７１のある部分では、第一反射面部６１が存在しないため、光を反射できないが、開口７１の上方にある第二反射面部６４が、光源ユニット１４の広角の光を反射するので、開口７１における暗がりの発生を抑制することができる。
【００５４】
第一反射面部６１と第二反射面部６４とにより形成される開口７１は、高さ方向Ｚにおいて任意の位置に設けられてよいが、本実施の形態では、光源ユニット１４の基板１９のある側、具体的には、基板１９の側方に設けられている。このため、開口７１によって光源ユニット１４の光学特性に及ぼされる影響を小さくすることができる。
【００５５】
第一反射面部６１は、高さ方向Ｚにおいて任意の位置に設けられてよいが、本実施の形態では、ケース２０よりも低い位置に設けられている。第二反射面部６４も、第一反射面部６１から隙間を空けて設けられていれば、高さ方向Ｚにおいて任意の位置に設けられてよいが、本実施の形態では、光源ユニット１４よりも高い位置に設けられている。
【００５６】
本実施の形態では、ケース２０および第二反射板２２が一体に形成されている。具体的には、ケース２０と１対の第二反射板２２とが１枚の板部材を折り曲げ加工して構成されている。１対の第一反射板２１も、それぞれ１枚の板部材を折り曲げ加工して構成されている。ケース２０と１対の第二反射板２２とを構成する部材と、一方の第一反射板２１を構成する部材と、他方の第一反射板２１を構成する部材との組み合わせで、通路１１が形成されているため、板金に穴を開けなくてよい。よって、各部材の剛性を確保することができる。また、各部材の端部をつぶすことで、板金エッジによるケガの発生を防止することができる。さらに、３ピース構成を採用することで、通路１１を大きくとることが可能となる。
【００５７】
＊＊＊実施の形態の効果の説明＊＊＊
本実施の形態では、第二反射板２２が第一反射板２１とは逆向きに傾斜している。具体的には、第一反射板２１が斜め下向きに傾斜しているとしたとき、第二反射板２２が斜め上向きに傾斜している。このため、第二反射板２２の位置を高くしたり、第一反射板２１の位置を低くしたりしなくても、第一反射板２１と第二反射板２２との間の隙間を確保しやすい。よって、空気が通り抜ける通路１１を照明装置１０内に確保しつつ、照明装置１０の高さを低く抑えることができる。
【００５８】
本実施の形態では、第一反射板２１と第二反射板２２とにより形成される開口７２を空調リターン穴とし、第二反射板２２により開口７２を器具下方からの視線に対し隠している。このため、器具下方から空調リターン穴を通して天井裏が目視されることを防止できる。
【００５９】
本実施の形態では、第二反射板２２に折り返し部６５があり、この折り返し部６５と第一反射板２１の第一反射面部６１との間に、開口７２が形成されている。この開口７２は、天井裏の空間に通じているが、天面側ではなく、側面側に位置している。このため、空調リターン穴が天面側に設けられる場合と比べて、天井裏からの塵埃が室内に入りにくくなる。
【００６０】
＊＊＊他の構成＊＊＊
本実施の形態では、端子台カバー８１に端子台２６が収納されているが、本実施の形態の変形例として、光源ユニット１４が取り付けられるケース２０に端子台２６が収納されてもよい。ケース２０に端子台２６を収納することで、端子台カバー８１を用意する必要がなくなり、照明装置１０の高さをより低くすることができる。すなわち、この変形例によれば、照明装置１０の薄型化が可能となる。
【００６１】
実施の形態２．
本実施の形態について、主に実施の形態１との差異を、図７から図９を用いて説明する。
【００６２】
＊＊＊構成の説明＊＊＊
図７から図９を参照して、本実施の形態に係る照明装置１０の構成を説明する。
【００６３】
図７は、照明装置１０を斜め下方から見た図である。図８は、図７に対応する照明装置１０の分解図である。なお、図８では、図７で省略しているＴバー９０も示している。図９は、照明装置１０の縦断面を示した図である。照明装置１０は、本実施の形態でも、システム天井に取り付けて使用されるが、システム天井以外の天井に取り付けて使用されてもよいし、壁等、天井以外の被取付部に取り付けて使用されてもよい。
【００６４】
本実施の形態では、それぞれの第一反射板２１の一部分である第一反射面部６１の上端から、折り返し部６６が第一反射面部６１とは別の方向に傾斜するように延びている。すなわち、本実施の形態では、それぞれの第一反射板２１の、第一反射面部６１とは別の部分である折り返し部６６が、第一反射面部６１の、光源ユニット１４の側面部４１に近い側の端につながっている。そして、それぞれの第一反射板２１の折り返し部６６が、光源ユニット１４の側面部４１に対して第一反射面部６１とは別の角度で傾斜しており、光源ユニット１４の側面部４１から折り返し部６６までの距離が上に向かうほど大きくなっている。
【００６５】
本実施の形態では、第二反射板２２に平坦部６３がない。すなわち、本実施の形態では、それぞれの第二反射板２２の第二反射面部６４がケース２０の側面部５１に直接つながっている。
【００６６】
＊＊＊実施の形態の効果の説明＊＊＊
本実施の形態では、実施の形態１と同様の効果が得られる。すなわち、本実施の形態によれば、空気が通り抜ける通路１１を照明装置１０内に確保しつつ、照明装置１０の高さを低く抑えることができる。
【００６７】
＊＊＊他の構成＊＊＊
本実施の形態では、実施の形態１と同じように、端子台カバー８１に端子台２６が収納されているが、実施の形態１の変形例と同じように、光源ユニット１４が取り付けられるケース２０に端子台２６が収納されてもよい。
【符号の説明】
【００６８】
１０  照明装置、１１  通路、１２  照明器具、１３  取付具、１４  光源ユニット、１５  光源設置面、１６  保持部背面、１７  発光面、１８  ＬＥＤ、１９  基板、２０
ケース、２１  第一反射板、２２  第二反射板、２３  端板、２５  バネ部、２６  端子台、２７  引込孔、３０  光源部、３１  保持部、３２  カバー部、３３  光源蓋部、３４  連結部、３５  点灯装置、３６  底壁部、３７  側壁部、３８  第一湾曲部、３９
第二湾曲部、４０  接続部、４１  側面部、５１  側面部、５２  底面部、５３  開口面部、６１  第一反射面部、６２  補強部、６３  平坦部、６４  第二反射面部、６５  折り返し部、６６  折り返し部、７１  開口、７２  開口、８０  枠部材、８１  端子台カバー、９０  Ｔバー。
【図１】
2018098106.tif 000003
【図２】
2018098106.tif 000004
【図３】
2018098106.tif 000005
【図４】
2018098106.tif 000006
【図５】
2018098106.tif 000007
【図６】
2018098106.tif 000008
【図７】
2018098106.tif 000009
【図８】
2018098106.tif 000010
【図９】
2018098106.tif 000011